【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
画像を符号化して生成した符号化データと、当該符号化データを復号する画像復号装置において用いることが可能な情報とを含むビットストリームを生成する画像符号化装置であって、
少なくとも量子化処理を含む第１の符号化処理か、又は、前記量子化処理を含まない第２の符号化処理を用いて、処理対象のブロックを符号化する符号化手段
を有し、
前記符号化手段は、少なくとも、前記処理対象のブロック以外の画素を使用するイントラ予測モードを用いる前記第２の符号化処理と、前記処理対象のブロックに含まれる画素単位のＤＰＣＭ処理を用いる前記第２の符号化処理を実行することが可能であり、
前記符号化手段は、
前記第２の符号化処理を用いる場合において、
前記イントラ予測モードを示す予測モード情報と、
前記ＤＰＣＭ処理を用いる前記第２の符号化処理に対応する復号処理を行うかを特定するために用いられる、前記予測モード情報とは独立したフラグと
を符号化し、
前記イントラ予測モードは数値で表すことが可能である
ことを特徴とする画像符号化装置。
【請求項２】
前記ＤＰＣＭ処理は前記画素単位で行われる予測処理である
ことを特徴とする請求項１記載の画像符号化装置。
【請求項３】
前記フラグは１又は０で表される
ことを特徴とする請求項１又は２に記載の画像符号化装置。
【請求項４】
前記画像を符号化することにより生成された符号化データと、前記予測モード情報と前記フラグとを含むビットストリームを生成する生成手段
を有し、
前記フラグは、前記ビットストリームのシーケンスヘッダに含まれる
ことを特徴とする請求項１〜３のいずれか１項に記載の画像符号化装置。
【請求項５】
前記第１の符号化処理はロッシー符号化処理であり、前記第２の符号化処理はロスレス符号化処理である
ことを特徴とする請求項１〜４のいずれか１項に記載の画像符号化装置。
【請求項６】
前記符号化手段は、
前記第１の符号化処理を用いて前記処理対象のブロックを符号化する場合、エントロピー符号化を用いて符号化し、
前記第２の符号化処理を用いて前記処理対象のブロックを符号化する場合もエントロピー符号化を用いて符号化する
ことを特徴とする請求項１〜５のいずれか１項に記載の画像符号化装置。
【請求項７】
前記符号化手段は、前記第２の符号化処理に対応する復号処理を用いて復号するかを特定可能な情報を符号化する
ことを特徴とする請求項１〜６のいずれか１項に記載の画像符号化装置。
【請求項８】
前記イントラ予測モードは、水平イントラ予測モード、又は、垂直予測モードであり、
前記ＤＰＣＭ処理は、水平方向のＤＰＣＭ処理、又は、垂直方向のＤＰＣＭ処理である
ことを特徴とする請求項１〜７のいずれか１項に記載の画像符号化装置。
【請求項９】
画像を符号化して生成された符号化データを含むビットストリームを復号する画像復号装置であって、
量子化処理が行われた係数から変換係数を導出する導出処理を含む第１の復号処理か、又は、少なくとも前記導出処理を含まない第２の復号処理を用いて、処理対象のブロックを復号する復号手段
を有し、
前記復号手段は、少なくとも、前記処理対象のブロック以外の画素を使用するイントラ予測モードを用いる前記第２の復号処理と、前記処理対象のブロックに含まれる画素単位のＤＰＣＭ処理を用いる前記第２の復号処理を実行することが可能であり、
前記復号手段は、
前記第２の復号処理を用いる場合において、
前記イントラ予測モードを示す予測モード情報と、
前記ＤＰＣＭ処理を用いる前記第２の復号処理を行うかを特定するために用いられる、前記予測モード情報とは独立したフラグと
を復号し、
前記フラグに基づいて、前記第２の復号処理を実行し、
前記イントラ予測モードは数値で表すことが可能である
ことを特徴とする画像復号装置。
【請求項１０】
前記ＤＰＣＭ処理は前記画素単位で行われる予測処理である
ことを特徴とする請求項９記載の画像復号装置。
【請求項１１】
前記フラグは１又は０で表される
ことを特徴とする請求項９又は１０に記載の画像復号装置。
【請求項１２】
前記復号手段は、前記予測モード情報と前記フラグとを、前記ビットストリームのシーケンスヘッダから復号する
ことを特徴とする請求項９〜１１のいずれか１項に記載の画像復号装置。
【請求項１３】
前記第１の復号処理において、ロッシー符号化された符号化データを復号し、
前記第２の復号処理において、ロスレス符号化された符号化データ復号する
ことを特徴とする請求項９〜１２のいずれか１項に記載の画像復号装置。
【請求項１４】
前記第１の復号処理において、エントロピー符号化された符号化データを復号し、
前記第２の復号処理においても、エントロピー符号化された符号化データを復号する
ことを特徴とする請求項９〜１３のいずれか１項に記載の画像復号装置。
【請求項１５】
前記復号手段は、少なくとも前記量子化処理を用いて符号化された符号化データであるかを特定可能な情報を前記ビットストリームから復号し、
前記復号手段は、少なくとも前記量子化処理を用いて符号化された符号化データであるかを特定可能な前記情報に応じて、前記第１の復号処理か又は前記第２の復号処理を用いて、処理対象のブロックを復号する
ことを特徴とする請求項９〜１４のいずれか１項に記載の画像復号装置。
【請求項１６】
前記復号手段は、前記フラグに基づいて、前記イントラ予測モードを用いる前記第２の復号処理を行うか、又は、前記ＤＰＣＭ処理を用いる前記第２の復号処理を行うか決定する
ことを特徴とする請求項９〜１５のいずれか１項に記載の画像復号装置。
【請求項１７】
前記イントラ予測モードは、水平イントラ予測モード、又は、垂直予測モードであり、
前記ＤＰＣＭ処理は、水平方向のＤＰＣＭ処理、又は、垂直方向のＤＰＣＭ処理である
ことを特徴とする請求項９〜１６のいずれか１項に記載の画像復号装置。
【請求項１８】
画像を符号化して生成した符号化データと、当該符号化データを復号する画像復号方法において用いることが可能な情報とを含むビットストリームを生成する画像符号化方法であって、
少なくとも量子化処理を含む第１の符号化処理か、又は、前記量子化処理を含まない第２の符号化処理を用いて、処理対象のブロックを符号化する符号化工程
を有し、
前記符号化工程において、少なくとも、前記処理対象のブロック以外の画素を使用するイントラ予測モードを用いる前記第２の符号化処理と、前記処理対象のブロックに含まれる画素単位のＤＰＣＭ処理を用いる前記第２の符号化処理を実行することが可能であり、
前記符号化工程において、
前記第２の符号化処理を用いる場合、
前記イントラ予測モードを示す予測モード情報と、
前記ＤＰＣＭ処理を用いる前記第２の符号化処理に対応する復号処理を行うかを特定するために用いられる、前記予測モード情報とは独立したフラグと
を符号化し、
前記イントラ予測モードは数値で表すことが可能である
ことを特徴とする画像符号化方法。
【請求項１９】
画像を符号化して生成された符号化データを含むビットストリームを復号する画像復号方法であって、
量子化処理が行われた係数から変換係数を導出する導出処理を含む第１の復号処理か、又は、少なくとも前記導出処理を含まない第２の復号処理を用いて、処理対象のブロックを復号する復号工程
を有し、
前記復号工程において、少なくとも、前記処理対象のブロック以外の画素を使用するイントラ予測モードを用いる前記第２の復号処理と、前記処理対象のブロックに含まれる画素単位のＤＰＣＭ処理を用いる前記第２の復号処理を実行することが可能であり、
前記復号工程において、
前記第２の復号処理を用いる場合において、
前記イントラ予測モードを示す予測モード情報と、
前記ＤＰＣＭ処理を用いる前記第２の復号処理を行うかを特定するために用いられる、前記予測モード情報とは独立したフラグと
を復号し、
前記フラグに基づいて、前記第２の復号処理を実行し、
前記イントラ予測モードは数値で表すことが可能である
ことを特徴とする画像復号方法。
【請求項２０】
請求項１〜８のいずれか１項に記載の画像符号化装置の各手段としてコンピュータを機能させることを特徴とするプログラム。
【請求項２１】
請求項９〜１７のいずれか１項に記載の画像復号装置の各手段としてコンピュータを機能させることを特徴とするプログラム。
【手続補正２】
【補正対象書類名】明細書
【補正対象項目名】０００８
【補正方法】変更
【補正の内容】
【０００８】
本発明の画像符号化装置は、例えば、下記の構成を有する。画像を符号化して生成した符号化データと、当該符号化データを復号する画像復号装置において用いることが可能な情報とを含むビットストリームを生成する画像符号化装置であって、少なくとも量子化処理を含む第１の符号化処理か、又は、前記量子化処理を含まない第２の符号化処理を用いて、処理対象のブロックを符号化する符号化手段を有し、前記符号化手段は、少なくとも、前記処理対象のブロック以外の画素を使用するイントラ予測モードを用いる前記第２の符号化処理と、前記処理対象のブロックに含まれる画素単位のＤＰＣＭ処理を用いる前記第２の符号化処理を実行することが可能であり、前記符号化手段は、前記第２の符号化処理を用いる場合において、前記イントラ予測モードを示す予測モード情報と、前記ＤＰＣＭ処理を用いる前記第２の符号化処理に対応する復号処理を行うかを特定するために用いられる、前記予測モード情報とは独立したフラグとを符号化し、前記イントラ予測モードは数値で表すことが可能である。
【手続補正３】
【補正対象書類名】明細書
【補正対象項目名】０００９
【補正方法】変更
【補正の内容】
【０００９】
本発明の画像復号装置は、例えば、下記の構成を有する。すなわち、画像を符号化して生成された符号化データを含むビットストリームを復号する画像復号装置であって、量子化処理が行われた係数から変換係数を導出する導出処理を含む第１の復号処理か、又は、少なくとも前記導出処理を含まない第２の復号処理を用いて、処理対象のブロックを復号する復号手段を有し、前記復号手段は、少なくとも、前記処理対象のブロック以外の画素を使用するイントラ予測モードを用いる前記第２の復号処理と、前記処理対象のブロックに含まれる画素単位のＤＰＣＭ処理を用いる前記第２の復号処理を実行することが可能であり、前記復号手段は、前記第２の復号処理を用いる場合において、前記イントラ予測モードを示す予測モード情報と、前記ＤＰＣＭ処理を用いる前記第２の復号処理を行うかを特定するために用いられる、前記予測モード情報とは独立したフラグとを復号し、前記フラグに基づいて、前記第２の復号処理を実行し、前記イントラ予測モードは数値で表すことが可能である。